(57)【要約】【課題】撮影の際に被験者の不安感を低減させることのできるマンモグラフィ装置を提供する。【解決手段】圧迫時間設定部６６により設定した圧迫時間、又は、圧迫時間記憶部６８に記憶された圧迫時間に基づき、圧迫残り時間算出部６４は、圧迫板２４によるマンモ３６の圧迫が解除されるまでの圧迫残り時間を算出し、この圧迫残り時間に係る情報を、表示部３２ａ〜３２ｇ及び３４ａ〜３４ｇに表示させるとともに、スピーカ７４から音声等によって被験者に報知する。【選択図】図３
2009077969.tif 000002
【特許請求の範囲】
【請求項１】
マンモに放射線を曝射する放射線源と、
前記マンモを透過した放射線を検出し、前記マンモの放射線画像情報を取得する放射線画像情報検出器を有する撮影台と、
前記撮影台に対して前記マンモを圧迫する圧迫板と、
前記圧迫板により前記マンモが圧迫されている現時点から前記圧迫板による前記マンモの圧迫が解除されるまでの圧迫残り時間を算出する圧迫残り時間算出部と、
前記圧迫残り時間に係る情報を被験者に提示する提示手段と、
を備えることを特徴とするマンモグラフィ装置。
【請求項２】
請求項１記載の装置において、
前記圧迫板により前記マンモを所定の圧迫状態としてから前記マンモの圧迫を解除するまでの圧迫時間を設定する設定部を備え、前記圧迫残り時間算出部は、前記所定の圧迫状態から前記現時点までの経過時間と前記圧迫時間との差を前記圧迫残り時間として算出することを特徴とするマンモグラフィ装置。
【請求項３】
請求項１記載の装置において、
前記マンモを所定の圧迫状態としてから前記マンモの圧迫を解除するまでの前回の撮影時における圧迫時間を記憶する記憶部を備え、前記圧迫残り時間算出部は、前記マンモを前記所定の圧迫状態としてから前記現時点までの経過時間と前記圧迫時間との差を今回の撮影時における前記圧迫残り時間として算出することを特徴とするマンモグラフィ装置。
【請求項４】
請求項１記載の装置において、
前記マンモを透過する放射線の線量を検出する線量検出器と、
前記線量検出器により検出した前記線量から、前記放射線画像情報を取得するのに必要な曝射時間を算出する曝射時間算出部と、
を備え、前記圧迫残り時間算出部は、前記曝射時間に基づいて前記圧迫残り時間を算出することを特徴とするマンモグラフィ装置。
【請求項５】
請求項１記載の装置において、
前記提示手段は、前記圧迫残り時間に係る情報を表示する表示手段からなることを特徴とするマンモグラフィ装置。
【請求項６】
請求項５記載の装置において、
前記表示手段は、複数の表示部を有し、前記圧迫残り時間に応じて駆動される前記表示部の個数が制御されることを特徴とするマンモグラフィ装置。
【請求項７】
請求項５記載の装置において、
前記表示手段は、前記圧迫残り時間に係る情報に応じた色を表示することを特徴とするマンモグラフィ装置。
【請求項８】
請求項１記載の装置において、
前記提示手段は、前記圧迫残り時間に係る情報を音で報知する報知手段からなることを特徴とするマンモグラフィ装置。
【発明の詳細な説明】
【技術分野】
【０００１】
本発明は、マンモを圧迫して放射線画像情報を撮影するマンモグラフィ装置に関する。
【背景技術】
【０００２】
医療分野においては、放射線源から放射された放射線を被写体に曝射し、被写体を透過した放射線を固体検出器又は蓄積性蛍光体パネルに導いて放射線画像情報を記録する放射線画像撮影装置が広汎に使用されている。
【０００３】
ここで、固体検出器とは、例えば、絶縁基板上に行列状に形成された多数の電荷収集電極と、この電荷収集電極上に形成され、照射された放射線に応じた電荷を発生する放射線導電体とを積層してなる固体検出部を有し、放射線導電体で発生した放射線画像情報に係る電荷を電荷収集電極で集めて蓄電部に一旦蓄積し、その蓄積電荷を電気信号に変換して出力するものである。
【０００４】
また、蓄積性蛍光体パネルとは、照射された放射線のエネルギの一部を蓄積し、レーザビーム等の励起光を照射すると、蓄積された放射線エネルギに応じて輝尽発光する蓄積性蛍光体を塗布したパネルであり、蓄積性蛍光体パネルから出力された輝尽発光光を光電変換することにより、放射線画像情報を読み取ることができる。
【０００５】
このような放射線画像撮影装置の１つとして、乳癌検診等に利用されるマンモグラフィ装置が知られている。マンモグラフィ装置は、例えば、パネル状の固体検出器が内蔵され、被写体のマンモを支持する撮影台と、撮影台に対向して配置され、マンモを撮影台に対して圧迫する圧迫板と、圧迫板を介してマンモに放射線を曝射する放射線源とを備えて構成される（特許文献１参照）。
【０００６】
【特許文献１】特許平８−１８６７６２号公報
【発明の開示】
【発明が解決しようとする課題】
【０００７】
この場合、マンモグラフィ装置では、マンモの鮮明な二次元放射線画像情報を取得するため、圧迫板を用いてマンモを撮影台に強く圧迫させている。従って、被験者には、かなりの苦痛が強いられるだけでなく、その状態が長時間継続すると、精神的な不安が増大し、さらに苦痛が助長されてしまうおそれがある。
【０００８】
本発明は、前記の課題を解決するためになされたものであり、撮影の際に被験者の不安感を低減させることのできるマンモグラフィ装置を提供することを目的とする。
【課題を解決するための手段】
【０００９】
本発明は、マンモに放射線を曝射する放射線源と、
前記マンモを透過した放射線を検出し、前記マンモの放射線画像情報を取得する放射線画像情報検出器を有する撮影台と、
前記撮影台に対して前記マンモを圧迫する圧迫板と、
前記圧迫板により前記マンモが圧迫されている現時点から前記圧迫板による前記マンモの圧迫が解除されるまでの圧迫残り時間を算出する圧迫残り時間算出部と、
前記圧迫残り時間に係る情報を被験者に提示する提示手段と、
を備えることを特徴とする。
【発明の効果】
【００１０】
本発明のマンモグラフィ装置では、圧迫板によるマンモの圧迫状態が解除されるまでの圧迫残り時間に係る情報が被験者に表示され、あるいは、音によって報知されるため、被験者は、圧迫が解除されて撮影が終了するまでの時間を具体的に予測することができ、これによって撮影時における不安感が低減される。
【発明を実施するための最良の形態】
【００１１】
図１は、本実施形態のマンモグラフィ装置１０の構成図である。
【００１２】
マンモグラフィ装置１０は、立設状態に設置される基台１２と、基台１２の略中央部に配設される旋回軸１４に固定されるアーム部材１６と、被験者１８のマンモに対して放射線を曝射する放射線源を収納し、アーム部材１６の一端部に固定される放射線源収納部２０と、マンモを透過した放射線を検出して放射線画像情報を取得する固体検出器を収納し、アーム部材１６の他端部に固定される撮影台２２と、撮影台２２に対してマンモを圧迫する圧迫板２４と、基台１２の左右正面に配設され、圧迫板２４によりマンモが圧迫されている現時点から圧迫板２４によるマンモの圧迫状態が解除されるまでの圧迫残り時間に係る情報を表示する表示ユニット２６Ｒ、２６Ｌ（表示手段）とを備える。
【００１３】
放射線源収納部２０、撮影台２２及び圧迫板２４が連結されたアーム部材１６は、旋回軸１４を中心として矢印Ａ方向に旋回することで、被験者１８のマンモに対する撮影方向が調整可能に構成される。圧迫板２４は、アーム部材１６に連結された状態で放射線源収納部２０及び撮影台２２間に配設されており、矢印Ｂ方向に変位可能に構成される。
【００１４】
放射線源収納部２０には、被験者１８の顔面近傍を放射線の曝射から保護するため、放射線を遮断する部材からなるフェースガードシート２８が配設される。また、基台１２には、被験者１８の撮影部位、撮影方向等の撮影情報、被験者１８のＩＤ情報等を表示するとともに、必要に応じて、圧迫板２４によるマンモの圧迫状態が解除されるまでの圧迫残り時間に係る情報を表示する表示器３０が配設される。
【００１５】
さらに、基台１２に配設される各表示ユニット２６Ｒ、２６Ｌは、圧迫残り時間に応じて点灯又は消灯される複数の表示部３２ａ〜３２ｇ及び３４ａ〜３４ｇを有する。各表示部３２ａ〜３２ｇ及び３４ａ〜３４ｇは、例えば、ＬＥＤによって構成することができる。
【００１６】
図２は、マンモグラフィ装置１０における撮影台２２の内部構成図であり、撮影台２２及び圧迫板２４間に被験者１８の撮影部位であるマンモ３６を配置した状態を示す。なお、参照符号３８は、被験者１８の胸壁を示す。
【００１７】
撮影台２２の内部には、マンモ３６を透過した放射線Ｘに基づく放射線画像情報を蓄積し、電気信号として出力する固体検出器４０（放射線画像情報検出器）と、固体検出器４０に蓄積記録された放射線画像情報を読み取るために、固体検出器４０に読取光を照射する読取光源部４２と、放射線Ｘの曝射条件の１つである曝射時間を決定するため、マンモ３６を透過した放射線Ｘの線量を検出する線量検出器（自動露出制御用放射線検出器、以下、「ＡＥＣ（Ａｕｔｏｍａｔｉｃ  Ｅｘｐｏｓｕｒｅ  Ｃｏｎｔｒｏｌ）センサ４４」という。）と、固体検出器４０に蓄積されている不要電荷を除去するために、固体検出器４０に消去光を照射する消去光源部４６とを備える。
【００１８】
固体検出器４０は、直接変換方式且つ光読出方式の放射線固体検出器であって、マンモ３６を透過した放射線Ｘに基づく放射線画像情報を静電潜像として蓄積し、読取光源部４２からの読取光により走査されることで、静電潜像に応じた電流を発生する。
【００１９】
固体検出器４０は、例えば、特開２００４−１５４４０９号公報に開示されたものを用いることができ、具体的には、ガラス基板上に形成され、放射線Ｘを透過する第１導電層と、放射線Ｘが照射されることで電荷を発生する記録用光導電層と、第１導電層に帯電される潜像極性電荷に対して略絶縁体として作用する一方、潜像極性電荷と逆極性の輸送極性電荷に対して略導電体として作用する電荷輸送層と、読取光が照射されることで電荷を発生して導電性を呈する読取用光導電層と、放射線Ｘを透過する第２導電層とを順に積層して構成される。記録用光導電層と電荷輸送層との界面には、蓄電部が形成される。
【００２０】
第１導電層及び第２導電層は、それぞれ電極を構成する。第１導電層の電極は、二次元状の平坦な平板電極とされ、第２導電層の電極は、記録される放射線画像情報を画像信号として検出するための所定の画素ピッチからなる多数の線状電極として構成される。線状電極の配列方向が主走査方向、線状電極の延在する方向が副走査方向に対応する。
【００２１】
読取光源部４２は、例えば、複数のＬＥＤチップを一列に並べて構成されるライン光源と、ライン光源から出力された読取光を固体検出器４０上に線状に照射させる光学系とを有し、固体検出器４０の第２導電層である線状電極の延在方向と直交する方向にＬＥＤチップが配列されたライン光源を前記線状電極の延在方向（矢印Ｃ方向）に移動させることで固体検出器４０の全面を露光走査する。
【００２２】
ＡＥＣセンサ４４は、例えば、マンモ３６の乳腺密度が高い部分に対応する部位に移動させて放射線Ｘの線量を検出できるよう、固体検出器４０に沿って矢印Ｃ方向に移動可能に構成される。
【００２３】
消去光源部４６は、短時間で発光／消光し、且つ、残光の非常に小さいＬＥＤチップを二次元状に配列して構成することができる。
【００２４】
図３は、マンモグラフィ装置１０を構成する制御回路の要部ブロック図である。
【００２５】
制御回路は、技師による曝射スイッチ４８の操作によって放射線Ｘを放出する放射線源５０を制御する放射線源制御部５２と、ＡＥＣセンサ４４によって検出した放射線Ｘの線量に基づき、曝射時間を算出して放射線源制御部５２に供給する曝射時間算出部５４と、固体検出器４０によって検出した放射線Ｘに基づき、マンモ３６の放射線画像を形成する放射線画像形成部５６とを備える。
【００２６】
また、制御回路は、技師により操作される圧迫板移動スイッチ５８からの操作信号、圧迫板２４がマンモ３６を圧迫することにより生じる圧力センサ６０からの圧力検出信号、又は、放射線源制御部５２からの撮影完了信号に基づき、圧迫板２４の移動制御を行う圧迫板移動制御部６２を備える。また、圧迫板移動制御部６２は、圧迫板２４が所定の圧力でマンモ３６を圧迫したことを検出して、放射線源制御部５２に撮影許可信号を出力する。
【００２７】
圧迫板移動制御部６２には、圧迫残り時間算出部６４が接続される。圧迫残り時間算出部６４は、圧迫板移動制御部６２から供給される所定の圧迫状態の開始信号と、圧迫時間設定部６６で設定された圧迫時間、又は、圧迫時間記憶部６８に記憶された圧迫時間（圧迫板２４によるマンモ３６の所定の圧迫が開始されてから圧迫状態が解除されるまでの時間）とに基づき、圧迫板２４によりマンモ３６が圧迫されている現時点から圧迫が解除されるまでの時間である圧迫残り時間を算出する。
【００２８】
圧迫残り時間算出部６４によって算出された圧迫残り時間に係る情報は、表示制御部７０によって制御される表示ユニット２６Ｒ、２６Ｌにおいて表示されるとともに、報知制御部７２によって制御されるスピーカ７４により音声等で報知される。なお、表示ユニット２６Ｒ、２６Ｌ及びスピーカ７４（報知手段）は、提示手段を構成する。
【００２９】
本実施形態のマンモグラフィ装置１０は、基本的には以上のように構成されるものであり、次に、図４に示すフローチャートに基づき、マンモグラフィ装置１０の動作を説明する。
【００３０】
先ず、図示しないコンソール、ＩＤカード等を用いて、被験者１８に係るＩＤ情報、撮影方法等の設定を行う。この場合、ＩＤ情報には、被験者１８の氏名、年齢、性別等の情報があり、被験者１８が所持するＩＤカードから取得することができる。なお、マンモグラフィ装置１０がネットワークに接続されている場合には、上位の装置から取得することも可能である。また、撮影方法には、医師によって指示された撮影部位、撮影方向等の情報があり、ネットワークに接続された上位の装置から取得し、あるいは、コンソールから放射線技師が入力することが可能である。これらの情報は、マンモグラフィ装置１０の表示器３０に表示して確認することができる。
【００３１】
次いで、放射線技師は、指定された撮影方法に従ってマンモグラフィ装置１０を所定の状態に設定する。例えば、マンモ３６の撮影方向としては、上部から放射線Ｘを照射して撮影を行う頭尾方向（ＣＣ）撮影、側面から放射線Ｘを照射して撮影を行う側面方向（ＭＬ）撮影、斜め方向から放射線Ｘを照射して撮影を行う内外側斜位（ＭＬＯ）撮影があり、これらの撮影方向に応じてアーム部材１６を旋回軸１４を中心に旋回させる。なお、図１は、頭尾方向（ＣＣ）撮影を行う場合を示す。
【００３２】
以上の準備作業が完了した後、マンモグラフィ装置１０に被験者１８を誘導してマンモ３６の位置決めを開始する（ステップＳ１）。すなわち、放射線技師は、マンモ３６を撮影台２２に載置した後、圧迫板移動スイッチ５８をＯＮにする（ステップＳ２）。圧迫板移動スイッチ５８から操作信号が圧迫板移動制御部６２に供給されると、圧迫板移動制御部６２は、圧迫板２４を撮影台２２に指向して矢印Ｂ方向（図１）に移動させることで、マンモ３６を徐々に圧迫する（ステップＳ３）。この場合、圧迫板２４に配設されている圧力センサ６０は、圧迫板２４によるマンモ３６の圧迫圧力を検出する。
【００３３】
圧力センサ６０により検出された圧迫圧力が予め設定されている仮圧迫圧力となったとき（ステップＳ４）、圧迫板移動制御部６２は、圧迫板２４の移動を一時停止させる（ステップＳ５）。なお、仮圧迫圧力は、放射線技師によるマンモ３６の位置決め作業を容易に行うことができる程度の圧力に設定されているものとする。
【００３４】
仮圧迫圧力がマンモ３６に付与されて圧迫板２４が停止した状態（仮圧迫状態）において、放射線技師は、撮影台２２に対するマンモ３６の位置決めを行い、位置決めが完了した後（ステップＳ６）、再度、圧迫板移動スイッチ５８をＯＮにして圧迫板２４を矢印Ｂ方向に再び移動させる（ステップＳ７）。
【００３５】
一方、圧迫残り時間算出部６４は、現時点から、撮影に必要な圧迫圧力となる状態（本圧迫状態）を経て圧迫が解除されるまでの時間である圧迫残り時間の算出を開始する（ステップＳ８）。
【００３６】
この場合、ステップＳ７で圧迫板移動スイッチ５８がＯＮされた時点での圧迫残り時間は、例えば、、圧迫時間設定部６６において、放射線技師の経験に基づく圧迫予測時間として設定することができる。また、標準的な被験者１８のデータに基づく標準圧迫時間を圧迫時間設定部６６で設定し、あるいは、圧迫時間記憶部６８に予め記憶された圧迫時間を読み出して設定してもよい。さらに、圧迫時間設定部６６又は圧迫時間記憶部６８に対して、圧迫板２４によるマンモ３６の圧迫開始（ステップＳ３）からマンモ３６の圧迫を解除するまでの圧迫時間を設定し、圧迫開始から仮圧迫状態となるまでの経過時間を前記圧迫時間から差し引くことで、圧迫板移動スイッチ５８がＯＮされた時点での圧迫残り時間を算出するようにしてもよい。  ステップＳ７において圧迫板移動スイッチ５８がＯＮされた時点での圧迫残り時間に係る情報は、表示制御部７０によって表示ユニット２６Ｒ、２６Ｌに表示されるとともに、報知制御部７２によってスピーカ７４から報知される（ステップＳ９）。
【００３７】
この場合、ステップＳ７で圧迫板移動スイッチ５８がＯＮされた時点では、表示ユニット２６Ｒ、２６Ｌの全ての表示部３２ａ〜３２ｇ及び３４ａ〜３４ｇを点灯状態とし、また、スピーカ７４から「本圧迫を開始します」といった音声による報知を行うことで、被験者１８に本圧迫が開始されることを認識させることができる。なお、表示ユニット２６Ｒ、２６Ｌは、基台１２の左右の部位であって被験者１８の目の高さに対応する部位に配設されているため、被験者１８の撮影中の顔の向きに拘わらず、圧迫残り時間を容易に確認することができる。
【００３８】
一方、放射線源制御部５２を介して圧迫板移動制御部６２に本圧迫を開始する信号が供給されると、この信号に従って圧迫板２４が撮影台２２に指向して再び移動を開始する（ステップＳ１０）。そして、圧迫板２４は、圧力センサ６０によって検出される圧迫圧力が撮影に必要な本圧迫圧力となるまで移動を継続する（ステップＳ１１）。
【００３９】
この間、圧迫残り時間算出部６４は、ステップＳ７で圧迫板移動スイッチ５８がＯＮされてから現時点までの経過時間を、ステップＳ８で算出した再圧迫開始時の圧迫残り時間より差し引くことで、新たな圧迫残り時間を算出する。算出された圧迫残り時間に係る情報は、表示ユニット２６Ｒ、２６Ｌに表示されるとともに、スピーカ７４から報知される。なお、圧迫残り時間の算出及び表示・報知の処理は、所定の時間間隔で逐次行われる。
【００４０】
この場合、圧迫残り時間の減少に対応して、例えば、図１の斜線部分で示すように、表示ユニット２６Ｒ、２６Ｌの上部のいくつかの表示部３２ａ〜３２ｇ及び３４ａ〜３４ｇを消灯させることにより、被験者１８は、圧迫が解除されるまでの圧迫残り時間を具体的に認識することができ、それによって精神的な安心感が得られる。また、スピーカ７４から「圧迫解除まで、残り５秒です」といった音声による報知を並行して行うことで、圧迫残り時間を一層明確に認識することができる。
【００４１】
圧迫圧力が撮影に必要な本圧迫圧力に達すると（ステップＳ１１）、圧迫板移動制御部６２は、圧迫板２４の移動を停止させるととともに（ステップＳ１２）、放射線源制御部５２に対して撮影許可信号を出力する。
【００４２】
そこで、放射線技師が曝射スイッチ４８をＯＮにすると（ステップＳ１３）、放射線源制御部５２は、放射線源５０を制御し、マンモ３６に曝射する放射線Ｘの線量を少なく設定して曝射条件を決定する曝射であるプレ曝射を行う（ステップＳ１４）。なお、ＡＥＣセンサ４４は、マンモ３６の所望の部位に対応する位置に配置される。
【００４３】
ＡＥＣセンサ４４は、マンモ３６を透過した放射線Ｘの線量を検出し（ステップＳ１５）、曝射時間算出部５４に出力する。曝射時間算出部５４は、検出された線量に基づき、所望の放射線画像情報を得るために必要な放射線Ｘの曝射時間を算出し（ステップＳ１６）、放射線源制御部５２及び圧迫残り時間算出部６４に供給する。
【００４４】
圧迫残り時間算出部６４は、曝射時間算出部５４で算出された曝射時間に基づき、現時点からの圧迫残り時間を算出し（ステップＳ１７）、表示ユニット２６Ｒ、２６Ｌに前記圧迫残り時間に係る情報を表示させるとともに、スピーカ７４を用いて圧迫残り時間を報知させる（ステップＳ１８）。この場合、プレ曝射によって正確な曝射時間が算出されているため、現時点から圧迫状態が解除されるまでの時間を正確に被験者１８に提示することができる。
【００４５】
一方、放射線源制御部５２は、曝射条件の１つとして算出された曝射時間と、所定の管電流とに基づいて放射線源５０を制御し、所定量の線量からなる放射線Ｘをマンモ３６に曝射する本曝射を行う（ステップＳ１９）。
【００４６】
マンモ３６を透過した放射線Ｘは、固体検出器４０によって放射線画像情報として検出される。放射線画像形成部５６は、固体検出器４０によって検出された放射線画像情報に基づき、マンモ３６の放射線画像を形成する。一方、放射線画像情報の読み取られた固体検出器４０には、消去光源部４６から消去光が照射されことで、残存する放射線画像情報の消去処理が行われる。
【００４７】
設定された曝射条件に従った本曝射が終了すると（ステップＳ２０）、放射線源制御部５２は、撮影完了信号を圧迫板移動制御部６２に出力する。なお、圧迫板２４の移動を停止させてから本曝射が終了するまでの間においても同様に、圧迫残り時間の算出及び表示・報知の処理が所定の時間間隔で逐次行われる。
【００４８】
撮影完了信号を受信した圧迫板移動制御部６２は、圧迫板２４を撮影台２２から離間する方向に移動させることで、マンモ３６の圧迫を解除する（ステップＳ２１）。この場合、圧迫残り時間算出部６４は、表示制御部７０及び報知制御部７２を制御し、表示ユニット２６Ｒ、２６Ｌの各表示部３２ａ〜３２ｇ及び３４ａ〜３４ｇを全て消灯するとともに、スピーカ７４を駆動して、「圧迫が解除されました」等の報知を行う（ステップＳ２２）。
【００４９】
一方、圧迫残り時間算出部６４は、ステップＳ７において圧迫板移動スイッチ５８がＯＮとされて本圧迫を開始してから、放射線Ｘの曝射を介して圧迫が解除されるまでの今回の圧迫時間を算出し（ステップＳ２３）、この圧迫時間を圧迫時間記憶部６８に記憶させる（ステップＳ２４）。
【００５０】
ここで、マンモ３６の撮影では、一人の被験者１８に対して、左右のマンモ３６のＣＣ撮影、ＭＬ撮影、ＭＬＯ撮影といった複数回の撮影が行われる。従って、１回目の撮影が終わった後、再びステップＳ１からの処理が繰り返される。この場合、２回目以降の撮影では、ステップＳ２４で圧迫時間記憶部６８に記憶された１回目の圧迫時間を、ステップＳ８における本圧迫開始時の圧迫予測時間又は標準圧迫時間に代えて設定し、この前回の圧迫時間に従って圧迫残り時間を算出することにより、一層高精度な圧迫残り時間を被験者１８に提示させることができる。
【００５１】
なお、放射線技師が圧迫板２４の移動速度を調整できる場合、圧迫板２４の移動速度を考慮した圧迫残り時間を算出するようにしてもよい。また、圧力センサ６０によって検出した圧迫圧力が所定圧力となった時点を本圧迫の開始時点として、圧迫残り時間を算出するようにしてもよい。
【００５２】
なお、圧迫残り時間を表示する構成としては、例えば、図５に示すように、左右方向に長尺な導光板７６ａ〜７６ｊを上下に配列し、各導光板７６ａ〜７６ｊの端部に配設したＬＥＤ等の光源７８ａ〜７８ｊを圧迫残り時間に応じて点灯、消灯させるようにしてもよい。
【００５３】
また、図６に示すように、放射線源収納部２０の左右に表示部８０Ｒ、８０Ｌを配置し、これらの表示部８０Ｒ、８０Ｌに圧迫残り時間をデジタル表示又はアナログ表示するようにしてもよい。なお、表示部８０Ｒ、８０Ｌは、フレキシブルなアーム８２Ｒ、８２Ｌを介して放射線源収納部２０に連結すれば、被験者１８の状態に応じて配置を自由に調整することができる。
【００５４】
さらに、図１に示す表示ユニット２６Ｒ、２６Ｌを構成する表示部３２ａ〜３２ｇ及び３４ａ〜３４ｇ、図５に示す導光板７６ａ〜７６ｊ、図６に示す表示部８０Ｒ、８０Ｌにおいて、圧迫残り時間に応じて表示する色を順次変えるようにしてもよい。
【００５５】
また、被験者１８の身長に応じて表示位置の高さを調整したり、撮影方向や撮影するマンモ３６の左右の位置に応じて表示位置を切り替えるようにしてもよい。また、圧迫残り時間を表示する部位としては、フェースガードシート２８を利用することもできる。
【００５６】
一方、スピーカ７４により圧迫残り時間を報知する構成としては、音声による報知に代えて、圧迫残り時間に応じた音程やメロディー等とすることもできる。
【００５７】
なお、本発明は、上述した実施形態に限定されるものではなく、本発明の主旨を逸脱しない範囲で自由に変更できることは勿論である。例えば、上述した実施形態では、固体検出器４０を用いた場合について説明したが、蓄積性蛍光体パネル（放射線画像情報検出器）を撮影台２２に対して着脱自在に構成されるマンモグラフィ装置にも適用することができる。
【図面の簡単な説明】
【００５８】
【図１】本実施形態のマンモグラフィ装置の構成図である。
【図２】本実施形態のマンモグラフィ装置における撮影台の内部構成図である。
【図３】本実施形態のマンモグラフィ装置を構成する制御回路の要部ブロック図である。
【図４】本実施形態のマンモグラフィ装置の動作フローチャートである。
【図５】他の構成からなる表示手段を備えたマンモグラフィ装置の構成図である。
【図６】他の構成からなる表示手段を備えたマンモグラフィ装置の構成図である。
【符号の説明】
【００５９】
１０…マンモグラフィ装置
１８…被験者
２０…放射線源収納部
２２…撮影台
２４…圧迫板
２６Ｒ、２６Ｌ…表示ユニット
２８…フェースガードシート
３０…表示器
３２ａ〜３２ｇ、３４ａ〜３４ｇ、８０Ｒ、８０Ｌ…表示部
３６…マンモ
４０…固体検出器
４４…ＡＥＣセンサ
４８…曝射スイッチ
５０…放射線源
５２…放射線源制御部
５４…曝射時間算出部
５６…放射線画像形成部
５８…圧迫板移動スイッチ
６０…圧力センサ
６２…圧迫板移動制御部
６４…圧迫残り時間算出部
６６…圧迫時間設定部
６８…圧迫時間記憶部
７４…スピーカ
７６ａ〜７６ｊ…導光板
７８ａ〜７８ｊ…光源
【図１】
2009077969.tif 000003
【図２】
2009077969.tif 000004
【図３】
2009077969.tif 000005
【図４】
2009077969.tif 000006
【図５】
2009077969.tif 000007
【図６】
2009077969.tif 000008